(57)【要約】【課題】運用ネットワーク上にトラフィック管理のためのトラフィックを発生させることなく、簡易な構成でトラフィック管理を正確かつ効率的に行うことのできるネットワークトラフィック管理システムを提供する。【解決手段】ハブ（１５）を介して複数の端末を接続したＬＡＮ（１０）のネットワークトラフィックを管理するシステムにおいて、当該システムが、前記ＬＡＮ（１０）のトラフィックデータを受信するデータ収集装置（１４）を備え、当該データ収集装置（１４）が、ＬＡＮ（１０）にハブ（１５）を介して接続されており、ハブ（１５）を経由するトラフィックデータを一方的に受信するようにした。【選択図】　　　　　図２
2004040362.tif 000002
【特許請求の範囲】
【請求項１】
ハブを介して複数の端末を接続したＬＡＮ回線のネットワークトラフィックを管理するシステムにおいて、当該システムが、前記ＬＡＮ回線のトラフィックデータを受信するデータ収集装置を備え、当該データ収集装置が、前記ＬＡＮ回線に前記ハブを介して接続されており、前記ハブを経由するトラフィックデータを一方的に受信することを特徴とするネットワークトラフィック管理システム。
【請求項２】
スイッチングハブを介して複数の端末を接続したＬＡＮ回線のネットワークトラフィックを管理するシステムにおいて、当該システムが、前記ＬＡＮ回線のトラフィックデータを受信するデータ収集装置と、前記スイッチングハブと前記端末との間にハブを備え、前記データ収集装置が、前記ＬＡＮ回線に前記ハブを介して接続されており、前記ハブを経由するトラフィックデータを一方的に受信することを特徴とするネットワークトラフィック管理システム。
【請求項３】
スイッチングハブを介して複数の端末を接続したＬＡＮ回線のネットワークトラフィックを管理するシステムにおいて、当該システムが、前記ＬＡＮ回線のトラフィックデータを受信する２台のデータ収集装置と、前記スイッチングハブとルータとの間に、全二重通信を維持しつつ片方向ずつの通信を別ポートで出力する全二重スプリッタを備え、前記２台のデータ収集装置が、前記スプリッタの各ポートにそれぞれ接続されており、前記スプリッタからのトラフィックデータを一方的に受信することを特徴とするネットワークトラフィック管理システム。
【請求項４】
ルータとターミナルアダプタを介して複数のＬＡＮ回線同士を接続したＷＡＮ回線のネットワークトラフィックを管理するシステムにおいて、当該システムが、前記ＷＡＮ回線のトラフィックデータを受信するデータ収集装置を備え、当該データ収集装置が、ルータとターミナルアダプタ間に接続されており、前記ルータを経由するトラフィックデータを一方的に受信することを特徴とするネットワークトラフィック管理システム。
【請求項５】
請求項１乃至４のいずれかに記載のネットワークトラフィック管理システムにおいて、前記データ収集装置は、受信したトラフィックデータを分析処理する手段を備えることを特徴とするネットワークトラフィック管理システム。
【請求項６】
請求項１乃至５のいずれかに記載のネットワークトラフィック管理システムにおいて、前記データ収集装置の受信したトラフィックデータを一括して分析処理するデータ集中解析装置をさらに備え、当該データ集中解析装置が、データ収集対象回線とは別の回線で、前記データ収集装置と接続されていることを特徴とするネットワークトラフィック管理システム。
【請求項７】
請求項１乃至６のいずれかに記載のネットワークトラフィック管理システムにおいて、前記データ収集装置は、能動的なデータ通信を行うためのプロトコルを無効に設定してあることを特徴とするネットワークトラフィック管理システム。
【発明の詳細な説明】
【０００１】
【発明の属する技術分野】
本発明は、ネットワークのトラフィックを管理するシステムに関し、特に、トラフィック管理のためのトラフィックを発生させることなく簡易な構成でトラフィック管理を正確かつ効率的に行うことのできるネットワークトラフィック管理システムに関する。
【０００２】
【従来の技術】
従来より、ＬＡＮやＷＡＮ等のネットワークにおけるトラフィック管理システムが構築されている。図８は、従来のトラフィック管理システムの構成を示す図である。ＬＡＮ１００（運用ネットワーク）について説明すると、図８に示すように、ハブ１０５を介して、各端末１０１、１０２、１０３と、ネットワーク管理装置１０４とを相互に接続されている。ハブ１０５にはさらにルータ１０６が接続されており、ターミナルアダプタ（ＴＡ）３０１を介してＷＡＮ３００（運用ネットワーク）に接続されている。ＷＡＮ３００のＬＡＮ１０とは反対側に、もう一つのＬＡＮ２００（運用ネットワーク）が接続されているが、ＬＡＮ１００の構成と同様であるので、ここでの詳細な説明は省略する。
【０００３】
以下、ＬＡＮ１００について説明する。ネットワーク管理装置１０４は、端末１０１〜１０３で形成されるＬＡＮ１００のトラフィックを管理する装置である。従来のシステムでは、まず各管理対象（各端末１０１〜１０３、ハブ１０５、ルータ１０６）それぞれにおいて、ＳＮＭＰプロトコル（Ｓｉｍｐｌｅ　Ｎｅｔｗｏｒｋ　Ｍａｎａｇｅｍｅｎｔ　Ｐｒｏｔｃｏｌ）の設定を行う。この設定は、具体的には管理アプリケーションのインストール、コミュニティ名の設定等である。
【０００４】
一方、ネットワーク管理装置１０４側では、ＳＮＭＰプロトコルの設定を行うことにより各管理対象が持つことになるＭＩＢ情報（Ｍａｎａｇｅｍｅｎｔ　Ｉｎｆｏｍａｒｔｉｏｎ　Ｂａｓｅ：各管理対象が保持する通信データ量等の情報）を定期的に取得するための設定を行う。ネットワーク管理装置１０４は、各管理対象からＭＩＢ情報を取得することによりネットワークトラフィックを管理する。
【０００５】
具体的には、ネットワーク管理装置１０４が、各管理対象が保持するＭＩＢ情報を収集するための要求（Ｇｅｔ　Ｒｅｑｕｅｓｔメッセージ）を、まず各管理対象に送信する。このＧｅｔ　Ｒｅｑｕｅｓｔメッセージを受信した各管理対象は、ＭＩＢ情報をＧｅｔ　Ｒｅｓｐｏｎｓｅメッセージとしてネットワーク管理装置１０４に対して返信する。ＭＩＢ情報を受け取ったネットワーク管理装置１０４は、取得したＭＩＢ情報を分析処理して、ネットワークトラフィックを管理するようにしている。
【０００６】
【発明が解決しようとする課題】
従来のシステムでは、各管理対象（ハブ、ルータ、端末）に対してＳＮＭＰプロトコルの設定を行う必要があるため、特に管理対象の数が多い場合は、ＳＮＭＰプロトコル設定のための手間が計り知れないものとなってしまう。
【０００７】
また従来のシステムでは、各管理対象とネットワーク管理装置間のデータ（メッセージあるいはＭＩＢ情報等）の送受信は、ネットワークトラフィックの管理対象となるネットワーク（運用ネットワーク）を介して行われる。したがって、運用ネットワーク上にトラフィック管理のためのトラフィックが発生してしまい、ＭＩＢ情報の収集間隔や情報量によっては、そのトラフィックがもとで運用ネットワークのデータ通信に支障を来すケースも起きうる。すなわち、ネットワークの利用頻度、回線速度を考慮してＭＩＢ情報の取得間隔を設定しないと、トラフィック管理のためのトラフィックだけでネットワーク通信量が飽和状態に陥る状況になりかねない。特に図８の例では、ＬＡＮ１００とＬＡＮ２００の間にＷＡＮ３００が介在しているため、トラフィック量が、運用ネットワークの利用者に対する課金にも影響を与えるおそれがある。
【０００８】
本発明は上記課題を解決すべくなされたものであって、運用ネットワーク上にトラフィック管理のためのトラフィックを一切発生させず、また従来必要であった各管理対象に対する設定を一切必要としない、効率的かつ正確なトラフィック管理を行うことができるシステムを提供する。
【０００９】
【課題を解決するための手段】
上記課題を解決すべく、本願請求項１に記載のシステムは、ハブを介して複数の端末を接続したＬＡＮ回線のネットワークトラフィックを管理するシステムにおいて、当該システムが、前記ＬＡＮ回線のトラフィックデータを受信するデータ収集装置を備え、当該データ収集装置が、前記ＬＡＮ回線に前記ハブを介して接続されており、前記ハブを経由するトラフィックデータを一方的に受信することを特徴とする。
【００１０】
このように構成することにより、データ収集装置は管理対象ネットワーク（運用ネットワーク）から一方的にデータを収集するのみであり、運用ネットワークに対しては一切通信を発生させない。したがって、簡易な構成で、実際の運用ネットワークで発生している通信のみを対象とした正確な分析が可能なトラフィック管理を行うことができる。また、既存のＬＡＮやＷＡＮのシステムにおいて、データ収集装置以外のネットワークデバイス（ハブ、ルータ、端末等）には一切設定を加える必要がないので、これらのデバイスには全く負荷をかけずにトラフィック管理を行うことができる。
【００１１】
本願請求項２に記載のネットワークトラフィック管理システムは、スイッチングハブを介して複数の端末を接続したＬＡＮ回線のネットワークトラフィックを管理するシステムにおいて、当該システムが、前記ＬＡＮ回線のトラフィックデータを受信するデータ収集装置と、前記スイッチングハブと前記端末との間にハブを備え、前記データ収集装置が、前記ＬＡＮ回線に前記ハブを介して接続されており、前記ハブを経由するトラフィックデータを一方的に受信することを特徴とする。このように構成することによっても、実際の運用ネットワークで発生している通信のみを対象とした正確な分析が可能なトラフィック管理を行うことができる。
【００１２】
本願請求項３に記載のネットワークトラフィック管理システムは、スイッチングハブを介して複数の端末を接続したＬＡＮ回線のネットワークトラフィックを管理するシステムにおいて、当該システムが、前記ＬＡＮ回線のトラフィックデータを受信する２台のデータ収集装置と、前記スイッチングハブとルータとの間に、全二重通信を維持しつつ片方向ずつの通信を別ポートで出力する全二重スプリッタを備え、前記２台のデータ収集装置が、前記スプリッタの各ポートにそれぞれ接続されており、前記スプリッタからのトラフィックデータを一方的に受信することを特徴とする。このように構成することによっても、実際の運用ネットワークで発生している通信のみを対象とした正確な分析が可能なトラフィック管理を行うことができる。
【００１３】
本願請求項４に記載のネットワークトラフィック管理システムは、ルータとターミナルアダプタを介して複数のＬＡＮ回線同士を接続したＷＡＮ回線のネットワークトラフィックを管理するシステムにおいて、当該システムが、前記ＷＡＮ回線のトラフィックデータを受信するデータ収集装置を備え、当該データ収集装置が、ルータとターミナルアダプタ間に接続されており、前記ルータを経由するトラフィックデータを一方的に受信することを特徴とする。このように構成することによっても、実際の運用ネットワークで発生している通信のみを対象とした正確な分析が可能なトラフィック管理を行うことができる。
【００１４】
本願請求項５に記載のネットワークトラフィック管理システムは、前記データ収集装置が、受信したトラフィックデータを分析処理する手段を備えることを特徴とする。このように構成することによって、運用ネットワークから収集したトラフィックデータをデータ収集装置上で独自に管理することができる。
【００１５】
本願請求項６に記載のネットワークトラフィック管理システムは、前記データ収集装置の受信したトラフィックデータを一括して分析処理するデータ集中解析装置をさらに備え、当該データ集中解析装置が、データ収集対象回線とは別の回線で、前記データ収集装置と接続されていることを特徴とする。
【００１６】
このように構成することによって、データ集中解析装置において、トラフィックデータの管理を一元的に行うことができる。また、データ集中解析装置へのデータ転送は、トラフィック管理のための専用ネットワークを介して行われるので、データ転送によるトラフィックを運用ネットワーク上で発生させない。
【００１７】
本願請求項７に記載のネットワークトラフィック管理システムは、前記データ収集装置は、能動的なデータ通信を行うためのプロトコルを無効に設定してあることを特徴とする。このように設定することにより、データ収集装置から運用ネットワークに対して能動的な通信を発生させることがないため、運用ネットワーク上にトラフィック管理のためのトラフィックを発生させない。
【００１８】
【発明の実施の形態】
以下に、本発明の実施の形態を添付の図面を参照して説明する。図１は本発明のネットワークトラフィック管理システムの第１実施形態における構成を示す図であり、図２は図１に示すシステムにおけるデバイスの接続状態を具体的に示した図である。図１および図２においては、運用ネットワーク（トラフィック管理の対象となるネットワーク）は、ＬＡＮ１０、ＬＡＮ２０およびＷＡＮ３０である。
【００１９】
図２に特に示すように、本システムは、ＬＡＮ１０およびＬＡＮ２０と、これらのＬＡＮ同士を接続するＷＡＮ３０と、データ集中解析装置４０とで構成される。ＬＡＮ１０は、端末１１、１２、１３と、データ収集装置１４と、ハブ１５とで構成されており、ルータ１６およびターミナルアダプタ（ＴＡ）３１を介してＷＡＮ３０と接続されている。またデータ収集装置１４は、ＬＡＮ１０とは別の回線で、データ集中解析装置４０と接続されている。ＬＡＮ２０はＬＡＮ１０と同様の構成であるので、ここでの詳細な説明は省略し、以下はＬＡＮ１０とＷＡＮ３０についてのみ説明する。
【００２０】
ＬＡＮ１０において、図２に示すように、各端末１１〜１３がハブ１５を介して相互に接続されている。この各端末１１〜１３は、入力手段と表示手段を備えた情報処理端末であり、ＬＡＮ１０やＷＡＮ３０を介して各端末間でデータ通信を行う。
【００２１】
データ収集装置１４は、入力手段と表示手段を備えた情報処理装置であり、各端末１１〜１３と同様にハブ１５に物理的に接続されており、ＬＡＮ１０を流れるトラフィックデータを一方的に受信する端末である。また、受信したトラフィックデータを基に分析処理を行う手段と、当該トラフィックデータをデータ集中解析装置４０に転送する手段を有する。このデータ処理装置１４は、一般の通信を行うためのプロトコルは無効に設定してあり、ハブや他の端末に向かって能動的なデータ通信を発生させないようになっている。したがってデータ収集装置１４は、ＬＡＮ１０を流れるトラフィックデータを一方的に受信するのみである。
【００２２】
各端末１１〜１３およびデータ処理装置１４と、ハブ１５との接続状態を図３に示す。図３に示すように、端末１１から端末１２にデータ通信を行う場合、端末１１から送信されたデータ（端末１１からの実線矢印）は、端末１２が接続されたポートのみならず（端末１２への実線矢印）、その他のポートへも送信される（端末１３およびデータ収集装置１４への点線矢印）。すなわち、端末１３およびデータ収集装置１４に対しても、端末１２へ送信されるデータと同様のデータが送信される。これは、ハブが受信したデータをすべてのポートに流す性質を有するからである。端末１３は、自分宛のデータではないので当該受信データを破棄してしまうが、上述したようにデータ収集装置１４は送信されてきたデータをすべて受信する。データを受信したデータ収集装置１４は、自端末で分析処理するか、データ集中解析装置４０に転送するかのいずれかの処理を行う。
【００２３】
データ集中解析装置４０は、データ収集装置から転送されたトラフィックデータを基に、一括して分析処理を行う手段を備える情報処理端末である。上述したように、運用ネットワークとは別の回線を介して各データ収集装置と接続されている。ＬＡＮやＷＡＮの運用ネットワークから一方的に受信したトラフィックデータが、データ収集装置を経由してデータ集中解析装置４０へ転送される。なお、データを収集しているネットワークと専用ネットワークとの間で、通信の転送（ルーティング）が行われないように設定してある。
【００２４】
ＷＡＮ３０においては、図１および図２に示すように、ルータ１６とターミナルアダプタ３１との間にデータ収集装置３４が接続されている。このデータ収集装置３４は、ＷＡＮ３０を流れるトラフィックデータを基にトラフィックの分析処理を行うことが可能であり、データ集中解析装置４０と別回線で接続されている。物理的な接続方法は、ルータ１６とターミナルアダプタ３１との間にケーブルを挟んで、そこにデータ収集装置３４を接続する。ＷＡＮ３０にはＬＡＮ１０のようにハブが存在しないが、ルータ１６とターミナルアダプタ３１との間を流れるデータをすべて収集する。このようにすることにより、図２において太線で囲まれたＷＡＮ３０内を流れるデータを収集する。
【００２５】
次に図４および図５を参照して、データ収集装置の設置から分析処理までの流れを説明する。図４は、本発明に係るシステムの処理の流れを説明するためのフローチャートであり、図５は、データ分析処理の流れを説明するためのフローチャートである。まず、管理対象である運用ネットワーク（ＬＡＮ１０、２０およびＷＡＮ３０）に対して、データ収集装置１４、２４、３４を上述した方法により接続して設置する（図４ステップＡ１）。
【００２６】
データ収集装置からデータロギングの間隔（ｍ分）を入力する（ステップＡ２）。データ収集装置が時刻ｈ１時からデータ収集を開始し（ステップＡ３）、時刻ｈ２時にデータ収集を停止する（ステップＡ４）。トラフィック管理の管理者は、データ収集装置を介してデータ分析をデータ集中解析装置４０で一括処理するか、当該データ収集装置内でデータ分析するかを決定する。データ収集装置内でデータ分析する場合（ステップＡ５　ＮＯ）、後述するデータ分析が行われる（ステップＡ６）。
【００２７】
一方、データ集中解析装置４０で一括してデータ分析する場合（ステップＡ５ＹＥＳ）、各データ収集装置１４、２４、３４からそれぞれ収集したデータが、データ集中解析装置４０へ転送される（ステップＡ７）。データ集中解析装置４０が各データ収集装置からのトラフィックデータを収集すると（ステップＡ８）、後述するデータ分析が行われる（ステップＡ９）。
【００２８】
次に、図５を参照して、収集したトラフィックデータのデータ分析処理の流れを説明する。まず、収集したトラフィックデータ（ステップＢ１）からデータ収集間隔ｍ分毎の回線の平均使用率を計算する（ステップＢ２）。具体的には、収集データ量がｖバイト（ｂｙｔｅｓ）あり、回線の帯域幅がｗビット毎秒（ｂｐｓ）であったとすると、ｍ分毎の平均使用率（％）は、（ｖ×８×１００）／（ｍ×６０×ｗ）で求めることができる。この結果を、ｍ分毎の平均使用率グラフとして表示する（ステップＢ３）。
【００２９】
一方、収集したトラフィックデータ（ステップＢ１）からデータ収集時間（ｈ２−ｈ１）時間の回線の平均使用率を計算する（ステップＢ４）。収集データ量がｕバイト（ｂｙｔｅｓ）あり、回線の帯域幅がｗビット毎秒（ｂｐｓ）であったとすると、（ｈ２−ｈ１）時間の平均使用率（％）は、（ｕ×８×１００）／（（ｈ２−ｈ１）×６０×６０×ｗ）で求めることができる。なお、かかるデータ分析は、上述したように、各データ収集装置内で独自に行うこともでき、また各データ収集装置からのトラフィックデータを一括してデータ集中解析装置で行うことができる。
【００３０】
上述の第１実施形態では、データ分析については平均回線使用率を例に挙げたが、あくまでも一例である。その他の分析、例えばデータの種類別流量の分析、データの送信元・宛先別の分析、エラーデータ量・種類の分析などのネットワークトラフィックに関する統計的なデータの分析を行うことも可能である。
【００３１】
次に、図６および図７を参照して、本発明の第２実施形態について説明する。図６は、本発明のネットワークトラフィック管理システムの第２実施形態における構成を示す図である。図６に示すように、本システムは、ＬＡＮ７０とＬＡＮ８０およびこれらのＬＡＮ同士を接続するＷＡＮ９０−１（運用ネットワーク）で構成される。さらに本システムでは、ＬＡＮ７０および８０のデータを収集するデータ集中装置７４、８４とデータ集中解析装置４０とがＷＡＮ９０−２で接続されている。
【００３２】
ＬＡＮ８０について説明する。ＬＡＮ８０は、端末８１、８２、８３がスイッチングハブ８５を介して相互に接続されており、スイッチングハブ８５と端末８３との間にハブ８６を挟み、このハブ８６を介してデータ収集装置８４が接続されている。データ収集装置８４はＴＡ９５を介してＷＡＮ９０−２に接続され、データ集中解析装置４０に接続されている。本実施例の場合、データ収集装置８４がトラフィックデータを収集することができるのは、端末８３で送受信されるデータのみである。したがって、端末８１および端末８２で送受信されるデータを収集する場合は、当該端末とスイッチングハブ８５との間にハブを挟み、データ収集装置を個別に接続する必要がある。
【００３３】
データ収集装置を個別に設置する理由を図７を参照して以下に説明する。スイッチングハブ８５は一般的に、データ通信の宛先に指定されている端末がつながっているポートにのみデータを流す性質を有する。例えば、スイッチングハブ８５が端末８１から端末８２へのデータ通信を受け取った場合、そのデータは端末８５が接続されているポートにのみ流され（端末８１→端末８２の実線矢印）、端末８３あるいは端末Ｎが接続されているポートには流されない。一方で、端末８１から端末８２へのデータ通信と同時に、端末８３から端末Ｎへのデータ通信を受け取った場合は、端末Ｎの接続されたポートにしかデータを流さない（点線矢印）。このように、スイッチングハブは同時に複数ペアのデータ通信を処理することができる。
【００３４】
以上のようにスイッチングハブは、指定された宛先のポートにしかデータを流さないため、すべての端末で送受信されるデータを収集する場合、各端末とスイッチングハブとの間にハブを挟んで、データ収集装置を個別に接続する必要がでてくる。なお、スイッチングハブ８５がブロードキャスト通信（同報通信）を行っている場合は、ハブ８６を介する必要はなく、スイッチングハブ８５に直接データ収集装置８４を接続することによりＬＡＮ８０のトラフィックを管理することができる。
【００３５】
次にＬＡＮ７０について説明する。ＬＡＮ７０は、端末７１、７２、７３がスイッチングハブ７５を介して相互に接続されており、スイッチングハブ８５とルータ７７の間に全二重スプリッタ７６を挟み、この全二重スプリッタ７６を介して２台のデータ収集装置７４−１および７４−２が接続されている。データ収集装置７４−１および７４−２は、それぞれＴＡ９３および９４を介してＷＡＮ９０−２に接続され、データ集中解析装置４０に接続されている。
【００３６】
スイッチングハブを介して行われる通信は全二重通信（両側通行）であることが一般的である。ＬＡＮ８０のように、スイッチングハブにハブを挟んだ場合、通信が半二重通信となるため、全二重通信を行う場合には適していない。本実施例の場合、スイッチングハブ７５とルータ７７の間で全二重通信を行っているとした場合、スイッチングハブ７５とルータ７７の間に全二重スプリッタ７６を挟むようにする。この全二重スプリッタ７６は、全二重通信を維持しつつ、データ通信を片方向づつに分けて、送受信されるデータをそれぞれ別のポートに出力することができる。したがって、２台のデータ収集装置７４−１および７４−２を全二重スプリッタ７６のそれぞれのポートに接続して、それぞれの収集装置が片方向づつのデータ受信を行う。このように構成することより、スイッチングハブ７５とルータ７７の間で双方向で送受信されるデータの受信が可能となる。
【００３７】
ＬＡＮ８０およびＬＡＮ７０を流れるデータを基にしたデータ分析処理は第１の実施形態の方法と同様であるので、ここでの説明は省略する。なお、第２実施形態においてＷＡＮ９０−１のトラフィックデータを収集するには、第１実施形態と同様、ＷＡＮ９０−１にデータ収集装置を接続すればよい。また、図６においては、データ収集装置がＷＡＮ９０−２を介してデータ集中解析装置４０に接続されている。第１実施形態では、データ集中解析装置への接続は直接回線を介していたが、ＷＡＮを導入してもよい。
【００３８】
【発明の効果】
以上の説明から明らかなように、本発明のネットワークトラフィック管理システムによれば、データ収集装置はトラフィックを管理する回線（運用ネットワーク）から一方的にデータを収集するのみであり、運用ネットワークに対しては一切通信を発生させない。したがって、簡易な構成で、実際の運用ネットワークで発生している通信のみを対象とした正確な分析が可能なトラフィック管理を行うことができる。
【００３９】
また、既存のＬＡＮやＷＡＮのシステムにおいて、データ収集装置以外のネットワークデバイス（ハブ、ルータ、端末等）には一切設定を加える必要がないので、これらのデバイスには全く負荷をかけずにトラフィック管理を行うことができる。すなわち、トラフィック管理に関する設定構築作業を建言することができる。
【００４０】
また、データ集中解析装置へのデータ転送は、トラフィック管理のための専用ネットワークを構築しており、データ転送によるトラフィックを運用ネットワーク上で発生させないので、データ分析を一ヶ所で一元的に行うことができる。すなわち、本発明の構成でも、従来のシステムでの特徴であった一元管理性も損なわないようにしている。
【図面の簡単な説明】
【図１】本発明に係るネットワークトラフィック管理システムの第１実施形態の構成を示す図である。
【図２】図１に示すシステムにおけるデバイスの物理的な接続状態を具体的に示した図である。
【図３】図１に示すシステムにおける端末およびデータ処理装置とハブとの接続状態を示す図である。
【図４】データ収集装置の設置からデータ分析処理までの処理の流れを説明するためのフローチャートである。
【図５】データ処理装置あるいはデータ集中解析装置におけるデータ分析処理の流れを説明するためのフローチャートである。
【図６】本発明に係るネットワークトラフィック管理システムの第２実施形態の構成を示す図である。
【図７】図６に示すシステムにおける端末およびデータ処理装置とスイッチングハブとの接続状態を示す図である。
【図８】従来のネットワークトラフィック管理システムの構成を示す図である。
【符号の説明】
１０、２０　　ＬＡＮ
１１〜１３　　端末
１４、２４、３４　　データ収集装置
１５、２５　　ハブ
１６、２６　　ルータ
２１〜２３　　端末
３０　　　　　ＷＡＮ
３１、３２　　ターミナルアダプタ
４０　　　　　データ集中解析装置
７０、８０　　ＬＡＮ
７１〜７３　　端末
８１〜８３　　端末
７４、８４　　データ収集装置
７５、８５　　スイッチングハブ
７６　　　　　全二重スプリッタ
７７、８７　　ルータ
８６　　　　　ハブ
９０　　　　　ＷＡＮ
９１〜９６　　ターミナルアダプタ
【図１】
2004040362.tif 000003
【図２】
2004040362.tif 000004
【図３】
2004040362.tif 000005
【図４】
2004040362.tif 000006
【図５】
2004040362.tif 000007
【図６】
2004040362.tif 000008
【図７】
2004040362.tif 000009
【図８】
2004040362.tif 000010